(57)【要約】      （修正有）【課題】重力を利用して回転力を得る装置に関し、特に回転体を、その回転軸を通る垂線で二分した場合、その半分体には重力が大きく作用し、他の半分体には重力が小さく作用するようにすることによって回転力を得る装置を提供する。【解決手段】回体の円周部に取り付けられた重錘が、回転体の右側半円部分では外側に突出し、他方の半円部分では回転体の円周部に設けた凹部に納まるように設計することによって、それら左右の両半円部分間に重力の働きの差を生じせしめ、そこから回転力を得る。【選択図】図２
0003141423.tif 000002
【実用新案登録請求の範囲】
【請求項１】
円盤形又は円筒形の回転体（１）の円周上に、その円周面に対して直角に開く重錘脚（５）を有する複数の同重量の重錘（Ｗ）を等間隔に取り付け、前記円周上にはまた、重錘（Ｗ）が重錘倒し用ガイドレ−ル（７）により回転体（１）の回転方向とは反対方向へ倒されるとき、重錘（Ｗ）の先端部分にある重錘本体（４）を収納するための凹部（３）を設け、前記重錘倒し用ガイドレ−ル（７）は、回転体（１）の回転方向にみてそのガイドレ−ル（７）に後続していて、かつ凹部（３）に収納された重錘（Ｗ）を起立させる重錘起立用ガイドレ−ル（８）とともに、回転体（１）をその回転軸（９）を通る垂線で二分した場合に、回転体（１）の半円部分（重錘収納側−図２において右側）に沿って位置し、それら両ガイドレ−ル（７）、（８）は、回転体（１）の回転軸（９）を支持する外枠（１０）に固定されてなり、回転体（１）の回転時、前記重錘（Ｗ）は、前記重錘起立用ガイドレ−ル（８）によって起立させられ、回転体（１）の半円部分（重錘突出側−図２において左側）にきたとき、外側へ突出し、次いで、回転体（１）の半円部分（重錘収納側−図２において右側）にきたとき、重錘倒し用ガイドレ−ル（７）により倒されて前記円周上の凹部（３）に収納されることになり、重錘（Ｗ）が外側へ突出した場合と、凹部（３）に収納された場合の、回転軸（９）から重錘（Ｗ）の先端までの距離の差から生じる重力の作用の差によって回転力を得る装置。
【請求項２】
回転体（１）の回転軸（９’）の先端部に作動円盤（１４）を取り付け、その作動円盤（１４）の外面に紐元締め金具（１５）を突設し、この紐元締め金具（１５）とそこから所望の距離をおいて建てたポ−ルＰとを紐（１６）で繋ぎ、その紐（１６）には鈴（１７）や鳴子（１８）を吊し、或いはそれに加えて、ポ−ル（Ｐ）からさらに距離をおいて建てたポ−ル（Ｐ−１）、（Ｐ−２）、（Ｐ−３）までポ−ル（Ｐ）を通して紐（１６）を延長させ、それら延長紐にも同様の鈴や鳴子を吊し、回転体（１）の回転軸（９’）の回転によって紐が緊張したり緩んだりすることにより鈴や鳴子を鳴らすことで害獣や害鳥などを追い払うことを特徴とする、請求項１記載の重力を利用して回転力を得る装置。
【請求項３】
回転体（１）の回転軸（９’）の先端部に作動円盤（１４）を取り付け、その作動円盤（１４）の外周に弾き爪（１９）を突設し、作動円盤（１４）の回転時、弾き爪（１９）で弾くことのできる位置に音響板（２０）を取り付け、弾き爪（１９）で弾かれる毎に音響板（２０）が振動して音響を発することで害獣や害鳥などを追い払うことを特徴とする、請求項１記載の重力を利用して回転力を得る装置。
【考案の詳細な説明】
【技術分野】
【０００１】  本考案は、重力を利用して回転力を得る装置に関し、特に回転体を、その回転軸を通る垂線で二分した場合、その半分体には重力が大きく作用し、他の半分体には重力が小さく作用するようにすることによって回転力を得る装置に関する。
【背景技術】
【０００２】  今、地球温暖化が大きな社会問題になっているが、これを防ぐには、地下資源である石油や石炭などの使用量を減らすことがなによりも大切である。そのために、これまでそれに代わる代替エネルギ−として水力、風力や太陽光などの自然エネルギ−の利用が推奨されてきた。その結果、それらの技術開発も進み、現在その多くが実用化され利用もされているがまだ十分とはいえない。
そこで、それら代替エネルギ−の一つとして重力も利用できると考え、本装置を考案するに至った。【０００３】
【特許文献１】  なし
【非特許文献１】  なし
【考案の開示】
【考案が解決しようとする課題】
【０００４】  回転体の円周部に取り付けられた重錘が、回転体の半円部分では回転体の外側に突出し、他の半円部分では回転体の円周部に設けた凹部に納まるように設計することによって、それら左右の両半円部分間に重力の働きの差を生じせしめ、そこから回転力を得ることを第一の課題とする。
回転体の円周部に取り付けられた重錘を、起立させたり、凹部に納めるたりことによって重錘を回転体の回転軸から遠ざけたり、近づけたりする働きを持ったガイドレ−ルを備えることを第二の課題とする。
本装置で得た回転力を、大型の場合は発電機に利用でき、小型であれば害鳥や害獣などを追い払うことに利用できることを第三の課題とする。
【課題を解決するための手段】
【０００５】  本考案は、円盤形又は円筒形の回転体１の円周上に、その円周面に対して直角に開く重錘脚５を有する複数の同重量の重錘Ｗを等間隔に取り付け、前記円周上にはまた、重錘Ｗが一対の重錘倒し用ガイドレ−ル７により回転体１の回転方向とは反対方向へ倒されるとき、重錘Ｗの先端部分にある重錘本体４を収納するための凹部３を設け、前記一対の重錘倒し用ガイドレ−ル７は、回転体１の回転方向にみてそのガイドレ−ル７に後続していて、かつ凹部３に収納された重錘Ｗを起立させる一対の重錘起立用ガイドレ−ル８とともに、回転体１をその回転軸９を通る垂線で二分した場合に、回転体１の半円部分（重錘収納側−図２において右側）に沿って位置し、それら両ガイドレ−ル７、８は、回転体１の回転軸９を支持する外枠１０に固定されてなり、回転体１の回転時、前記重錘Ｗは、前記一対の重錘起立用ガイドレ−ル８によって起立させられ、回転体１の半円部分（重錘突出側−図２において左側）にきたとき、外側へ突出し、次いで、回転体１の半円部分（重錘収納側−図２において右側）にきたとき、一対の重錘到し用ガイドレ−ル７により倒されて前記円周上の凹部３に収納されることになり、重錘Ｗが外側へ突出した場合と、凹部３に収納された場合の、回転軸９から重錘Ｗの先端までの距離の差から生じる重力の作用の差によって回転力を得る装置である。【０００６】  また、本考案は、請求項１の装置において、回転体１の回転軸９’の先端部に作動円盤１４を取り付け、その作動円盤１４の外面に紐元締め金具１５を突設し、この紐元締め金具１５とそこから所望の距離をおいて建てたポ−ルＰとを紐１６で繋ぎ、その紐１６には鈴１７や鳴子１８を吊し、或いは、それに加えて前記ポ−ルＰからさらに距離をおいて建てたポ−ルＰ−１、Ｐ−２、Ｐ−３までポ−ルＰを通して紐１６を延長させ、それら延長紐にも同様の鈴や鳴子を吊し、回転体１の回転軸９’の回転によって紐が緊張したり緩んだりすることにより鈴や鳴子を鳴らすことで害獣や害鳥などを追い払うことを特徴とする、重力を利用して回転力を得る装置である。【０００７】  さらにまた、本考案は、請求項１の装置において、回転体１の回転軸９’の先端部に作動円盤１４を取り付け、その作動円盤１４の外周に弾き爪１９を突設し、作動円盤１４の回転時、弾き爪１９で弾くことのできる位置に音響板２０を取り付け、弾き爪１９で弾かれる毎に音響板２０が振動して音響を発することによって害獣や害鳥などを追い払うことを特徴とする、重力を利用して回転力を得る装置である。
【考案の効果】
【０００８】  本考案の装置においては、初めに始動モ−タ−により回転を与えると、それぞれの重錘が、回転体の回転方向に見て初めの半円部分にきた時には重錘脚により立ち上がって外側へ突出し、他の半円部分にきた時には円周上に設けた凹部に納まることによって、両方の半円部分の間に重力の働きの差が生じ、重力が強く働く方向へ回転を始める。
従って、その回転力から有効なエネルギ−を取り出すことができるので、石油や石炭のような地球温暖化の問題を気にすることなく、そのエネルギ−を用途に応じて利用できる効果がある。
本装置に使用するガイドレ−ルは、重錘倒し用ガイドレ−ルも重錘起立用ガイドレ−ルもともに外枠にしっかりと固定されている。従って回転体が回転する時、重錘はそれらガイドレ−ルによって支えられるので、回転体の重錘収納側となる半円部分においては重錘にかかる重力を軽減でき、その分だけ左右の半円部分における重力の差を大きくすることができ、ひいては回転力を強める効果がある。
さらに、本装置の回転体そのものをはずみ車として利用することができる効果がある。
【考案を実施するための最良の形態】
【０００９】  本考案は、回転体の円周部に取り付けられた重錘が、回転体の右側半円部分では回転体の外側へ突出し、他方の半円部分では回転体の円周部に設けた凹部に納まるように設計することによって、それら左右の両半円部分間に重力の働きの差を生じせしめ、そこから回転力を得ることを目的とした装置である。
この装置において、円盤形又は円筒形の回転体１の円周上に、その円周面に対して直角に開く重錘脚５を有する複数の同重量の重錘Ｗを等間隔に取り付ける。円周上にはまた、重錘Ｗが一対の重錘倒し用ガイドレ−ル７により回転体１の回転方向とは逆方向へ倒されるとき、重錘Ｗの先端部分にある重錘本体４を収納するための凹部３を重錘の数と同数設ける。
一対の重錘倒し用ガイドレ−ル７は、凹部３に収納された重錘Ｗを起立させる一対の重錘起立用ガイドレ−ル８とともに、回転体１をその回転軸９を通る垂線で二分した場合に、回転体１の半円部分（重錘収納側−図２において右側）に沿って位置し、一対の重錘起立用ガイドレ−ル８は、回転体１の回転方向にみて一対の重錘倒し用ガイドレ−ル７に後続して位置する。
それら両ガイドレ−ル７、８は、回転体１の回転軸９を支持する外枠１０にしっかりと固定されている。回転体１の回転時、前記重錘Ｗは、一対の重錘起立用ガイドレ−ル８によって起立させられ、回転体１の半円部分（重錘突出側−図２において左側）にきたとき、外側へ突出し、次いで、回転体１の半円部分（重錘収納側−図２において右側）にきたとき、一対の重錘到し用ガイドレ−ル７により倒されて円周上の凹部３にそれぞれ収納されることになる。
かくして、本装置では、重錘Ｗが外側へ突出した場合と、凹部３に収納された場合との、中心回転軸９から重錘Ｗの先端までの距離の差が生じ、そこにかかる重力の働きの差によって回転力を得ることができるのである。
【実施例１】
【００１０】  本考案の装置において、図２には円盤形のアルミニウム製回転体１を示す。その回転体１の円周上の凸部２に、その円周面に対して直角に開く重錘脚５を有する同重量の重錘Ｗを、ピン係合６により等間隔に取り付ける。重錘の数は８〜１２個が好ましいが、この実施例では１２個使用する。
円周上にはまた、重錘Ｗが一対の重錘倒し用ガイドレ−ル７により回転体１の回転方向とは逆方向へ倒されるとき、重錘Ｗの先端部分にある重錘本体４を収納するための凹部３を重錘の数と同数の１２個設ける。凹部３は、重錘Ｗが倒されるとき重錘本体４がきちんと納まるような位置に形成する。
一対の重錘倒し用ガイドレ−ル７は、凹部３に収納された重錘Ｗを起立させる一対の重錘起立用ガイドレ−ル８とともに、回転体１の半円部分（重錘収納側−図２において右側）に沿って位置づけ、その場合、一対の重錘起立用ガイドレ−ル８は、回転体１の回転方向にみて一対の重錘倒し用ガイドレ−ル７に後続して位置づける。それら両ガイドレ−ル７、８は、回転体１の回転軸９を支持する外枠１０に堅固に固定されている。
回転体１の回転時、重錘Ｗは、一対の重錘起立用ガイドレ−ル８によって起立させられ、回転体１の半円部分（重錘突出側−図２において左側）にきたとき、外側へ突出し、次いで、回転体１の半円部分（重錘収納側−図２において右側）にきたとき、一対の重錘到し用ガイドレ−ル７により倒されて円周上の凹部３にそれぞれ収納されることになる。
重錘Ｗは、図３に拡大して示すように、先端部にある重錘本体４とそれに接続する重錘脚５とで構成し、重錘脚５は、ピン係合部６の近くにストッパ５’を備えているので、重錘Ｗが一対の重錘起立用ガイドレ−ル８によって起立させられ外側へ開いて突出するとき、ストッパ５’が凸部２の側部に当接して９０度以上開くことはない。
重錘本体４は、図３〜５に示すように、ガイドレ−ル７、８に乗り易くするために重錘車輪４’と重錘車軸４”を有する。
かくして、本考案では、重錘Ｗが外側へ突出した場合と、凹部３に収納された場合との、中心回転軸９から重錘Ｗの先端までの距離の差が生じ、そこにかかる重力の働きの差によって回転力を得ることができるのである。
図１は、本考案の回転体１を回転軸９と外枠１０で支持した状態の概略図を示す。この図は、回転体１と両ガイドレ−ルの位置関係や、両ガイドレ−ルをその固定構造体１２を介して外枠１０に堅固に固定する状態を示すために、回転体１と外伜１０を離して示しているが、実際はもっと接近して構成される。また、外枠１０や両ガイドレ−ル固定構造体１２もこの形に制限されるものではない。
この装置においては、初めに始動モ−タ−により回転を与えると、それぞれの重錘が、回転体の回転方向に見て初めの半円部分にきた時には重錘脚により立ち上がって外側へ突出し、他の半円部分にきた時には円周上に設けた凹部に納まることによって、両方の半円部分の間に重力の働きの差が生じ、重力が強く働く方向へ回転を始める。
それは、重錘起立用ガイドレ−ル８によって起立させられ外側へ開いた重錘Ｗが、回転体の中心部（回転軸）から遠ざかることによって、その対称的位置にある重錘Ｗより重力の働きを大きく受けることになり、回転体に回転力を与えることになり、このことが次々と連続して起きるからである。
その回転は、それに勝る力が回転方向と逆方向に加わると静止するが、その時はまた始動モ−タ−等により多少の力を加えれば回転力を取り戻すことができる。
この装置は大型にも小型にも作ることができるので、用途に応じて発電機を廻すために使用したり、小型であれば農作物を食い荒らす害鳥や害獣を追い払う仕掛けに利用したりすることができる。
この装置には、始動モ−タ−とともにブレ−キも備えるものとする。
【実施例２】
【００１１】  この実施例は、農作物を食い荒らす害鳥や害獣を追い払う仕掛けに利用するものである。図６に示すように、回転体１の回転軸９’の先端部に作動円盤１４を取り付ける。その作動円盤１４の外面の周縁部の近くの一か所に紐元締め金具１５を突設する。
この紐元締め金具１５と、そこから所望の距離をおいて建てたポ−ルＰとを紐１６で繋ぎ、その紐１６には鈴１７や鳴子１８を所望の数だけ吊す。
作動円盤１４は回転するので、その作動円盤１４に取り付けられた紐元締め金具１５に紐を結ぶと、その紐は紐元締め金具１５に巻きついてしまう。
それを防ぐために、紐元締め金具１５は、図７に示すように、その先端近くの部分に、芯棒に対して回転自在な筒体１５’を設ける。その筒体１５’は、紐を結ぶためのリング１５”を有する。
リング１５”に紐１６を結び、その紐１６をある距離おいて離れたポ−ルＰに繋いでおく。外枠１０’の中には、実施例１で示した回転体１があって、その回転軸９’の先端部に作動円盤１４が取り付けられているために、回転体１の回転によって作動円盤１４が回転する。作動円盤１４の回転とともに紐元締め金具１５も回転する。紐元締め金具１５が半回転して１５’で示す位置にくると、それまで緩んでいた紐１６は緊張して１６’で示す位置にくる。紐のこのような緩みと緊張が回転とともに反復されるので、それに吊された鈴や鳴子が鳴らされ、害鳥や害獣を追い払うことができるのである。
また、この仕掛けをもっと広範囲に拡大させるために、ポ−ルＰからさらに距離をおいて建てたポ−ル  Ｐ−１、Ｐ−２、Ｐ−３まで、ポ−ルＰを通して紐１６を延長させることもできる。それら延長紐にも同様の鈴や鳴子を吊しておくと、回転体１の回転軸９’の回転によって紐が緊張したり緩んだりすることにより延長紐の鈴や鳴子をも同時に鳴らすことができるので、より一層広範囲に害獣や害鳥などを追い払うことができる。
【実施例３】
【００１２】  この実施例も実施例２と同様に、農作物を食い荒らす害鳥や害獣を追い払う仕掛けに利用するものである。
図８に示すように、回転体１の回転軸９’の先端部に作動円盤１４を取り付ける。その作動円盤１４の外周の２か所に１８０度離して弾き爪１９を突設する。他方、外枠１０’の台座１３の上で、しかも作動円盤１４の回転時、弾き爪１９で弾くことのできる位置に音響板２０を取り付る。
この状態で、回転体１が回転すると作動円盤１４も回転し、作動円盤１４が１回転する毎に弾き爪１９が２回音響板２０を弾くことになる。弾き爪１９で弾かれる毎に、音響板２０は２０’で示す位置まで振動を反復する。このような反復振動で音響を発することにより害獣や害鳥などを追い払うことができる。
ここでは、弾き爪１９を２個突設したが、その数や位置はこれに制限されるものではない。
なお、実施例２、３ともに、外枠１０’はあくまで例示であり概略的に示したものであって、これに制限されるものではない。
【図面の簡単な説明】
【００１３】
【図１】  本考案の装置の概略斜視図であって、回転体を支持する回転軸と外枠の一例を示したものである。
【図２】  本考案の装置の要部をなす回転体の重錘とガイドレ−ルとの関係を示す正面図である。
【図３】  本考案の１個の重錘の拡大斜視図である。
【図４】  図２のＡで示す点線円の部分の拡大部分図であって、重錘をガイドレ−ルによって凹部から引き出し起立させるところを示す。
【図５】  図２のＢで示す点線円の部分の拡大部分図であって、重錘をガイドレ−ルによって倒し、重錘本体を凹部へ納めるところを示す。
【図６】  本装置の１つの応用実施例の概略斜視図であって、本装置の回転体の回転軸の先端部に取付けた作動円盤の回転で鈴や鳴子を鳴らす仕組みを示す。
【図７】  図６の作動円盤に取付けた紐元締め金具の拡大部分斜視図である。
【図８】  本装置の他の応用実施例の概略斜視図であって、作動円盤の外周に取付けた弾き爪で音響板を弾く状態を示す。
【符号の説明】
【００１４】１    回転体                ２    凸部                  ３    凹部
Ｗ    重錘
４    重錘本体              ４’  重錘車輪              ４”  重錘車軸
５    重錘脚                ５’  重錘脚に設けたストッパ
６    ピン係合部
７    重錘倒し用ガイドレ−ル
８    重錘起立用ガイドレ−ル
９、９’  回転軸            １０、１０’  外枠          １１  放射状支持体
１２  ガイドレ−ル固定構造体
１３  台座                  １４    作動円盤
１５  紐元締め金具          １５’  回転自在な筒体        １５”  リング
１６  緩んだ紐              １６’  緊張した紐
Ｐ、Ｐ−１、Ｐ−２、Ｐ−３  ポ−ル
１７  鈴                    １８    鳴子
１９  弾き爪
２０  音響板                ２０’  弾かれ振動する音響板
【図１】
0003141423.tif 000003
【図２】
0003141423.tif 000004
【図３】
0003141423.tif 000005
【図４】
0003141423.tif 000006
【図５】
0003141423.tif 000007
【図６】
0003141423.tif 000008
【図７】
0003141423.tif 000009
【図８】
0003141423.tif 000010
【手続補正書】
【提出日】平成20年2月8日(2008.2.8)
【手続補正１】
【補正対象書類名】実用新案登録請求の範囲
【補正対象項目名】全文
【補正方法】変更
【補正の内容】
【実用新案登録請求の範囲】
【請求項１】
円盤形又は円筒形の回転体（１）の円周上に、その円周面に対して直角に開く重錘脚（５）を有する複数の同重量の重錘（Ｗ）を等間隔に取り付け、前記円周上にはまた、重錘（Ｗ）が重錘倒し用ガイドレ−ル（７）により回転体（１）の回転方向とは反対方向へ倒されるとき、重錘（Ｗ）の先端部分にある重錘本体（４）を収納するための凹部（３）を設け、前記重錘倒し用ガイドレ−ル（７）は、回転体（１）の回転方向にみてそのガイドレ−ル（７）に後続していて、かつ凹部（３）に収納された重錘（Ｗ）を起立させる重錘起立用ガイドレ−ル（８）とともに、回転体（１）をその回転軸（９）を通る垂線で二分した場合に、回転体（１）の垂直上方へ移動する側の半円部分に沿って位置し、それら両ガイドレ−ル（７）、（８）は、回転体（１）の回転軸（９）を支持する外枠（１０）に固定されてなり、回転体（１）の回転時、前記重錘（Ｗ）は、前記重錘起立用ガイドレ−ル（８）によって起立させられ、回転体（１）の垂直下方へ移動する側の半円部分にきたとき、外側へ突出し、次いで、回転体（１）の垂直上方へ移動する側の半円部分にきたとき、重錘倒し用ガイドレ−ル（７）により倒されて前記円周上の凹部（３）に収納されることになり、重錘（Ｗ）が外側へ突出した場合と凹部（３）に収納された場合の、回転軸から重錘の先端までの距離の差によって回転力を得る装置。
【請求項２】
回転体（１）の回転軸（９’）の先端部に作動円盤（１４）を取り付け、その作動円盤（１４）の外面に紐元締め金具（１５）を突設し、この紐元締め金具（１５）とそこから所望の距離をおいて建てたポ−ルＰとを紐（１６）で繋ぎ、その紐（１６）には鈴（１７）や鳴子（１８）を吊し、或いはそれに加えて、ポ−ル（Ｐ）からさらに距離をおいて建てたポ−ル（Ｐ−１）、（Ｐ−２）、（Ｐ−３）までポ−ル（Ｐ）を通して紐（１６）を延長させ、それら延長紐にも同様の鈴や鳴子を吊し、回転体（１）の回転軸（９’）の回転によって紐が緊張したり緩んだりすることにより鈴や鳴子を鳴らすことで害獣や害鳥などを追い払うことを特徴とする、請求項１記載の回転軸から重錘の先端までの距離の差によって回転力を得る装置。
【請求項３】
回転体（１）の回転軸（９’）の先端部に作動円盤（１４）を取り付け、その作動円盤（１４）の外周に弾き爪（１９）を突設し、作動円盤（１４）の回転時、弾き爪（１９）で弾くことのできる位置に音響板（２０）を取り付け、弾き爪（１９）で弾かれる毎に音響板（２０）が振動して音響を発することで害獣や害鳥などを追い払うことを特徴とする、請求項１記載の回転軸から重錘の先端までの距離の差によって回転力を得る装置。
【手続補正２】
【補正対象書類名】明細書
【補正対象項目名】全文
【補正方法】変更
【補正の内容】
【考案の詳細な説明】
【技術分野】
【０００１】  本考案は、回転軸から重錘の先端までの距離の差によって回転力を得る装置に関し、特に回転体を、その回転軸を通る垂線で二分した場合、その半分体には力が大きく作用し、他の半分体には力が小さく作用するようにすることによって回転力を得る装置に関する。
【背景技術】
【０００２】  今、地球温暖化が大きな社会問題になっているが、これを防ぐには、地下資源である石油や石炭などの使用量を減らすことがなによりも大切である。そのために、これまでそれに代わる代替エネルギ−として水力、風力や太陽光などの自然エネルギ−の利用が推奨されてきた。その結果、それらの技術開発も進み、現在その多くが実用化され利用もされているがまた十分とはいえない。
そこで、それら代替エネルギ−の一つとして本装置を考案するに至った。【０００３】
【特許文献１】  なし
【非特許文献１】  なし
【考案の開示】
【考案が解決しようとする課題】
【０００４】  回転体の円周部に取り付けられた重錘が、回転体の半円部分では回転体の外側に突出し、他の半円部分では回転体の円周部に設けた凹部に納まるように設計することによって、それら左右の両半円部分間に垂直下方へ落下しようとする力の差を生じせしめ、そこから回転力を得ることを第一の課題とする。
回転体の円周部に取り付けられた重錘を、起立させたり、凹部に納めるたりことによって重錘を回転体の回転軸から遠ざけたり、近づけたりする働きを持ったガイドレ−ルを備えることを第二の課題とする。
本装置で得た回転力を、大型の場合は発電機に利用でき、小型であれば害鳥や害獣などを追い払うことに利用できることを第三の課題とする。
【課題を解決するための手段】
【０００５】  本考案は、円盤形又は円筒形の回転体１の円周上に、その円周面に対して直角に開く重錘脚５を有する複数の同重量の重錘Ｗを等間隔に取り付け、前記円周上にはまた、重錘Ｗが一対の重錘倒し用ガイドレ−ル７により回転体１の回転方向とは反対方向へ倒されるとき、重錘Ｗの先端部分にある重錘本体４を収納するための凹部３を設け、前記一対の重錘倒し用ガイドレ−ル７は、回転体１の回転方向にみてそのガイドレ−ル７に後続していて、かつ凹部３に収納された重錘Ｗを起立させる一対の重錘起立用ガイドレ−ル８とともに、回転体１をその回転軸９を通る垂線で二分した場合に、回転体１の垂直上方へ移動する側の半円部分に沿って位置し、それら両ガイドレ−ル７、８は、回転体１の回転軸９を支持する外枠１０に固定されてなり、回転体１の回転時、前記重錘Ｗは、前記一対の重錘起立用ガイドレ−ル８によって起立させられ、回転体１の垂直下方へ移動する側の半円部分にきたとき、外側へ突出し、次いで、回転体１の垂直上方へ移動する側の半円部分にきたとき、一対の重錘倒し用ガイドレ−ル７により倒されて前記円周上の凹部３に収納されることになり、重錘Ｗが外側へ突出した場合と、凹部３に収納された場合の、回転軸９から重錘Ｗの先端までの距離の差によって回転力を得る装置である。【０００６】  また、本考案は、請求項１の装置において、回転体１の回転軸９’の先端部に作動円盤１４を取り付け、その作動円盤１４の外面に紐元締め金具１５を突設し、この紐元締め金具１５とそこから所望の距離をおいて建てたポ−ルＰとを紐１６で繋ぎ、その紐１６には鈴１７や鳴子１８を吊し、或いは、それに加えて前記ポ−ルＰからさらに距離をおいて建てたポ−ルＰ−１、Ｐ−２、Ｐ−３までポ−ルＰを通して紐１６を延長させ、それら延長紐にも同様の鈴や鳴子を吊し、回転体１の回転軸９’の回転によって紐が緊張したり緩んだりすることにより鈴や鳴子を鳴らすことで害獣や害鳥などを追い払うことを特徴とする装置である。【０００７】  さらにまた、本考案は、請求項１の装置において、回転体１の回転軸９’の先端部に作動円盤１４を取り付け、その作動円盤１４の外周に弾き爪１９を突設し、作動円盤１４の回転時、弾き爪１９で弾くことのできる位置に音響板２０を取り付け、弾き爪１９で弾かれる毎に音響板２０が振動して音響を発することによって害獣や害鳥などを追い払うことを特徴とする装置である。
【考案の効果】
【０００８】  本考案の装置においては、初めに始動モ−タ−により回転を与えると、それぞれの重錘が、回転体の回転方向に見て初めの半円部分にきた時には重錘脚により立ち上がって外側へ突出し、他の半円部分にきた時には円周上に設けた凹部に納まることによって、両方の半円部分の間に垂直下方へ落下しようとする力の差が生じ、その力が強く働く方向へ回転を始める。
従って、その回転力から有効なエネルギ−を取り出すことができるので、石油や石炭のような地球温暖化の問題を気にすることなく、そのエネルギ−を用途に応じて利用できる効果がある。
本装置に使用するガイドレ−ルは、重錘倒し用ガイドレ−ルも重錘起立用ガイドレ−ルもともに外枠にしっかりと固定されている。従って回転体が回転する時、回転体の重錘収納側となる半円部分においては、垂直下方へ向かって落下しようとする重錘を両ガイドレ−ルで支えるので落下しようとする力を弱め、その分だけ左右の半円部分間の重錘の落下しようとする力の差を大きくすることができ、ひいては回転力を強める効果がある。
さらに、本装置の回転体そのものをはずみ車として利用することができる効果がある。
【考案を実施するための最良の形態】
【０００９】  本考案は、回転体の円周部に取り付けられた重錘が、回転体の左側半円部分では回転体の外側へ突出し、他方の半円部分では回転体の円周部に設けた凹部に納まるように設計することによって、中心回転軸から重錘の先端までの距離が遠い方の左側半円部分にある重錘の垂直下方へ落下しようとする力の方が、右側半円部分にある重錘の垂直下方へ落下しようとする力よりも強く働くので、それら左右の両半円部分間に力の働きの差を生じせしめ、そこから回転力を得ることを目的とした装置である。
この装置において、円盤形又は円筒形の回転体１の円周上に、その円周面に対して直角に開く重錘脚５を有する複数の同重量の重錘Ｗを等間隔に取り付ける。円周上にはまた、重錘Ｗが一対の重錘倒し用ガイドレ−ル７により回転体１の回転方向とは逆方向へ倒されるとき、重錘Ｗの先端部分にある重錘本体４を収納するための凹部３を重錘の数と同数設ける。
一対の重錘倒し用ガイドレ−ル７は、凹部３に収納された重錘Ｗを起立させる一対の重錘起立用ガイドレ−ル８とともに、回転体１をその回転軸９を通る垂線で二分した場合に、回転体１の半円部分（重錘収納側−図２において右側）に沿って位置し、一対の重錘起立用ガイドレ−ル８は、回転体１の回転方向にみて一対の重錘倒し用ガイドレ−ル７に後続して位置する。それら両ガイドレ−ル７、８は、回転体１の回転軸９を支持する外枠１０にしっかりと固定されている。回転体１の回転時、前記重錘Ｗは、一対の重錘起立用ガイドレ−ル８によって起立させられ、回転体１の半円部分（重錘突出側−図２において左側）にきたとき、外側へ突出し、次いで、回転体１の半円部分（重錘収納側−図２において右側）にきたとき、一対の重錘倒し用ガイドレ−ル７により倒されて円周上の凹部３にそれぞれ収納されることになる。
かくして、本装置では、重錘Ｗが外側へ突出した場合と、凹部３に収納された場合との、中心回転軸９から重錘Ｗの先端までの距離の差が生じ、それら左右の両半円部分間に力の働きの差を生じせしめて回転力を得ることができるのである。
【実施例１】
【００１０】  本考案の装置において、図２には円盤形のアルミニウム製回転体１を示す。その回転体１の円周上の凸部２に、その円周面に対して直角に開く重錘脚５を有する同重量の重錘Ｗを、ピン係合６により等間隔に取り付ける。重錘の数は８〜１２個が好ましいが、この実施例では１２個使用する。
円周上にはまた、重錘Ｗが一対の重錘倒し用ガイドレ−ル７により回転体１の回転方向とは逆方向へ倒されるとき、重錘Ｗの先端部分にある重錘本体４を収納するための凹部３を重錘の数と同数の１２個設ける。凹部３は、重錘Ｗが倒されるとき重錘本体４がきちんと納まるような位置に形成する。
一対の重錘倒し用ガイドレ−ル７は、凹部３に収納された重錘Ｗを起立させる一対の重錘起立用ガイドレ−ル８とともに、回転体１の半円部分（重錘収納側−図２において右側）に沿って位置づけ、その場合、一対の重錘起立用ガイドレ−ル８は、回転体１の回転方向にみて一対の重錘倒し用ガイドレ−ル７に後続して位置づける。それら両ガイドレ−ル７、８は、回転体１の回転軸９を支持する外枠１０に堅固に固定されている。
回転体１の回転時、重錘Ｗは、一対の重錘起立用ガイドレ−ル８によって起立させられ、回転体１の半円部分（重錘突出側−図２において左側）にきたとき、外側へ突出し、次いで、回転体１の半円部分（重錘収納側−図２において右側）にきたとき、一対の重錘倒し用ガイドレ−ル７により倒されて円周上の凹部３にそれぞれ収納されることになる。
重錘Ｗは、図３に拡大して示すように、先端部にある重錘本体４とそれに接続する重錘脚５とで構成し、重錘脚５は、ピン係合部６の近くにストッパ５’を備えているので、重錘Ｗが一対の重錘起立用ガイドレ−ル８によって起立させられ外側へ開いて突出するとき、ストッパ５’が凸部２の側部に当接して９０度以上開くことはない。
重錘本体４は、図３〜５に示すように、ガイドレ−ル７、８に乗り易くするために重錘車輪４’と重錘車軸４”を有する。
かくして、本考案では、重錘Ｗが外側へ突出した場合と、凹部３に収納された場合との、中心回転軸９から重錘Ｗの先端までの距離の差が生じ、それら左右の両半円部分間に力の働きの差を生じせしめて回転力を得ることができるのである。
図１は、本考案の回転体１を回転軸９と外枠１０で支持した状態の概略図を示す。この図は、回転体１と両ガイドレ−ルの位置関係や、両ガイドレ−ルをその固定構造体１２を介して外枠１０に堅固に固定する状態を示すために、回転体１と外枠１０を離して示しているが、実際はもっと接近して構成される。また、外枠１０や両ガイドレ−ル固定構造体１２もこの形に制限されるものではない。
この装置においては、初めに始動モ−タ−により回転を与えると、それぞれの重錘が、回転体の垂直下方に移動する側の半円部分にきた時には重錘脚により立ち上がって外側へ突出し、他の半円部分にきた時には円周上に設けた凹部に納まることによって、両方の半円部分の間に力の働きの差が生じ、力が強く働く方向へ回転を始める。
それは、重錘起立用ガイドレ−ル８によって起立させられ外側へ開いた重錘Ｗの方が、回転体の中心部（回転軸）から遠ざかることによって、その対称的位置にある重錘Ｗより下方へ落下しようとする力が強く働くので、回転体に回転力を与えることになり、このことが次々と連続して起きるからである。
その回転は、それに勝る力が回転方向と逆方向に加わると静止するが、その時はまた始動モ−タ−等により多少の力を加えれば回転力を取り戻すことができる。
この装置は大型にも小型にも作ることができるので、用途に応じて発電機を廻すために使用したり、小型であれば農作物を食い荒らす害鳥や害獣を追い払う仕掛けに利用したりすることができる。
この装置には、始動モ−タ−とともにブレ−キも備えるものとする。
【実施例２】
【００１１】  この実施例は、農作物を食い荒らす害鳥や害獣を追い払う仕掛けに利用するものである。図６に示すように、回転体１の回転軸９’の先端部に作動円盤１４を取り付ける。その作動円盤１４の外面の周縁部の近くの一か所に紐元締め金具１５を突設する。
この紐元締め金具１５と、そこから所望の距離をおいて建てたポ−ルＰとを紐１６で繋ぎ、その紐１６には鈴１７や鳴子１８を所望の数だけ吊す。
作動円盤１４は回転するので、その作動円盤１４に取り付けられた紐元締め金具１５に紐を結ぶと、その紐は紐元締め金具１５に巻きついてしまう。
それを防ぐために、紐元締め金具１５は、図７に示すように、その先端近くの部分に、芯棒に対して回転自在な筒体１５’を設ける。その筒体１５’は、紐を結ぶためのリング１５”を有する。
リング１５”に紐１６を結び、その紐１６をある距離おいて離れたポ−ルＰに繋いでおく。外枠１０’の中には、実施例１で示した回転体１があって、その回転軸９’の先端部に作動円盤１４が取り付けられているために、回転体１の回転によって作動円盤１４が回転する。作動円盤１４の回転とともに紐元締め金具１５も回転する。紐元締め金具１５が半回転して１５’で示す位置にくると、それまで緩んでいた紐１６は緊張して１６’で示す位置にくる。紐のこのような緩みと緊張が回転とともに反復されるので、それに吊された鈴や鳴子が鳴らされ、害鳥や害獣を追い払うことができるのである。
また、この仕掛けをもっと広範囲に拡大させるために、ポ−ルＰからさらに距離をおいて建てたポ−ル  Ｐ−１、Ｐ−２、Ｐ−３まで、ポ−ルＰを通して紐１６を延長させることもできる。それら延長紐にも同様の鈴や鳴子を吊しておくと、回転体１の回転軸９’の回転によって紐が緊張したり緩んだりすることにより延長紐の鈴や鳴子をも同時に鳴らすことができるので、より一層広範囲に害獣や害鳥などを追い払うことができる。
【実施例３】
【００１２】  この実施例も実施例２と同様に、農作物を食い荒らす害鳥や害獣を追い払う仕掛けに利用するものである。
図８に示すように、回転体１の回転軸９’の先端部に作動円盤１４を取り付ける。その作動円盤１４の外周の２か所に１８０度離して弾き爪１９を突設する。他方、外枠１０’の台座１３の上で、しかも作動円盤１４の回転時、弾き爪１９で弾くことのできる位置に音響板２０を取り付る。
この状態で、回転体１が回転すると作動円盤１４も回転し、作動円盤１４が１回転する毎に弾き爪１９が２回音響板２０を弾くことになる。弾き爪１９で弾かれる毎に、音響板２０は２０’で示す位置まで振動を反復する。このような反復振動で音響を発することにより害獣や害鳥などを追い払うことができる。
ここでは、弾き爪１９を２個突設したが、その数や位置はこれに制限されるものではない。
なお、実施例２、３ともに、外枠１０’はあくまで例示であり概略的に示したものであって、これに制限されるものではない。
【図面の簡単な説明】
【００１３】
【図１】  本考案の装置の概略斜視図であって、回転体を支持する回転軸と外枠の一例を示したものである。
【図２】  本考案の装置の要部をなす回転体の重錘とガイドレ−ルとの関係を示す正面図である。
【図３】  本考案の１個の重錘の拡大斜視図である。
【図４】  図２のＡで示す点線円の部分の拡大部分図であって、重錘をガイドレ−ルによって凹部から引き出し起立させるところを示す。
【図５】  図２のＢで示す点線円の部分の拡大部分図であって、重錘をガイドレ−ルによって倒し、重錘本体を凹部へ納めるところを示す。
【図６】  本装置の１つの応用実施例の概略斜視図であって、本装置の回転体の回転軸の先端部に取付けた作動円盤の回転で鈴や鳴子を鳴らす仕組みを示す。
【図７】  図６の作動円盤に取付けた紐元締め金具の拡大部分斜視図である。
【図８】  本装置の他の応用実施例の概略斜視図であって、作動円盤の外周に取付けた弾き爪で音響板を弾く状態を示す。
【符号の説明】
【００１４】１    回転体                ２    凸部                  ３    凹部
Ｗ    重錘
４    重錘本体              ４’  重錘車輪              ４”  重錘車軸
５    重錘脚                ５’  重錘脚に設けたストッパ
６    ピン係合部
７    重錘倒し用ガイドレ−ル
８    重錘起立用ガイドレ−ル
９、９’  回転軸            １０、１０’  外枠          １１  放射状支持体
１２  ガイドレ−ル固定構造体
１３  台座                  １４    作動円盤
１５  紐元締め金具          １５’  回転自在な筒体      １５”リング
１６  緩んだ紐              １６’  緊張した紐
Ｐ、Ｐ−１、Ｐ−２、Ｐ−３  ポ−ル
１７  鈴                    １８    鳴子
１９  弾き爪
２０  音響板                ２０’弾かれ振動する音響板